(57)【要約】【課題】  ロータマグネットに対向してスラストヨークを配置し必要なスラスト力を確保した上で、スラストヨークが取り付けられる静止部材の振動を抑制し、放射音を低減する。【解決手段】  基板１１に支持されたステータ１７に対向するように環状のロータマグネット３４を取り付けたロータ３０を軸受機構により回転自在に支持する。この軸受機構として、ロータ３０を基板１１に対してラジアル方向に支持するラジアルすべり軸受部４２，４３及びスラスト方向の一方向のみを受けるスラストすべり軸受部４４を有し、基板１１に、ロータマグネット３４に対向しこれとの間で磁気吸引力を発生してロータ３０をスラスト方向の他方向に付勢するスラストヨーク５０をその端部のみを基板１１に拘束して取り付ける。【選択図】  図１
2005155685.tif 000002
【特許請求の範囲】
【請求項１】
静止部材に支持されたステータと、前記静止部材に対して相対的に回転自在の回転部材と、前記ステータに対向するように前記回転部材に取付けられた環状のロータマグネットと、前記静止部材に対して前記回転部材を回転自在に支持する軸受機構とを備え、該軸受機構は、前記回転部材を前記静止部材に対してラジアル方向に支持するラジアルすべり軸受部及びスラスト方向の一方向のみを受けるスラストすべり軸受部を有し、前記静止部材には、前記回転部材に存するマグネットに対向し当該マグネットとの間で磁気吸引力を発生して前記回転部材をスラスト方向の他方向に付勢するスラストヨークを備えているスピンドルモータであって、
前記スラストヨークはその端部のみを前記静止部材に拘束して取り付けられていることを特徴とするスピンドルモータ。
【請求項２】
前記回転部材に存するマグネットは前記ロータマグネットであり、前記スラストヨークは円環板状であってその外周側端部もしくは内周側端部のみが前記静止部材に拘束されている請求項１記載のスピンドルモータ。
【請求項３】
前記スラストヨークは、非磁性材料製の制振部材を用いて前記静止部材に拘束されている請求項１又は２に記載のスピンドルモータ。
【請求項４】
前記制振部材は、前記スラストヨークの端部を前記マグネット側からのみ拘束している請求項３に記載のスピンドルモータ。
【請求項５】
装置本体のベースが請求項１〜４のいずれかに記載のスピンドルモータにおける静止部材を構成し、前記スピンドルモータにおける回転部材に記録用ディスクが搭載され、前記ベース上に前記記録用ディスクに対して情報の読み書きを行う手段を支持してなることを特徴とする情報記録再生装置。
【発明の詳細な説明】
【技術分野】
【０００１】
この発明は、すべり軸受を用いたスピンドルモータ及びこのスピンドルモータにより記録用ディスクを回転駆動するＨＤＤ等の情報記録再生装置に関する。
【背景技術】
【０００２】
記録用ディスクを用いたハードディスクドライブ装置等の情報記録再生装置では、これが搭載されるパーソナルコンピュータ等の機器の小型化・薄型化や、デジタルカメラ，オーディオ・ビデオ機器等への応用等使用される機器の多様化に伴い、その小型・薄型化，高容量化が要求されている。
【０００３】
一方、この種の情報記録再生装置では、記録用ディスクを回転駆動するＤＣブラシレスモータよりなるスピンドルモータの軸受として、少なくともラジアル軸受部にすべり軸受の一形態である動圧軸受を用いたものが知られている。このモータは、記録用ディスクを搭載する回転部材としてのロータに、周方向に多極着滋された円環状のモータ駆動用ロータマグネットを、静止部材に支持されたステータに半径方向に対向するように装着し、このロータを流体動圧軸受を用いて静止部材に回転自在に支持している。
【０００４】
この流体動圧軸受は、ロータの回転中心に設けた円柱状のシャフトを静止部材に固定された中空円筒状のスリーブメタルに嵌め合わせ、その対向する周面のいずれかにヘリングボーン溝等の動圧発生溝を形成すると共に、両者の隙間にオイル等の潤滑流体を満たし、ロータの回転に伴って潤滑流体に発生する圧力でロータを支承する構造の軸受であり、機構の占める体積が小さくかつ耐衝撃性に優れ、加えて軸振れが小さくなる等の効果を有している。
【０００５】
さらに、ロータのスラスト方向の荷重に対しては、構造の簡易化，廉価及び小型・薄型化等を目的とし、単一面対向型のスラスト軸受を採用して軸線方向一方向の荷重を支承し、軸線方向他方向については磁気スラスト力を発生させる方法が採られている（例えば、特許文献１参照）。
【０００６】
より具体的には、シャフトの先端部を球面形状とし、これをスリーブの内底面に当接させてピボット軸受としてスラスト荷重を支持している。或いはシャフト先端部とスリーブ内底面とのいずれかにスパイラル溝等の動圧発生溝を形成し、ロータの回転に伴って潤滑流体に発生する圧力で浮上力を得ることによりスラスト荷重を支持している。
【０００７】
他方、ロータに装着された円筒状ロータマグネットの端面に軸方向に対向するようスラストヨークを静止部材に固定し、この間に作用する磁気吸引力でスラスト方向の力を発生させ、衝撃力が加わっても飛び跳ねないようにして安定化を図っている。このスラストヨークは、ロータマグネットの全周の端面に対向する円板状に形成され、その全面が静止部材に接着剤を用いて固着されている。
【０００８】
【特許文献１】特許第３１２３２８３号公報
【発明の開示】
【発明が解決しようとする課題】
【０００９】
情報記録再生装置に用いられるＤＣブラシレスタイプのスピンドルモータでは、従前より軸受としてボールベアリングが用いられてきており、ボールベアリングの内外輪間をボールが転動することに起因する振動，騒音が静音化に影響を与えていたが、上述したように軸受としてすべり軸受を採用することにより、このような機械的な振動はなく、ＮＲＲＯ（non-repeatable runout），騒音ともボールベアリングを使用したものに比べ良好な性能を示している。
【００１０】
しかしながら、上述したすべり軸受を使用したスピンドルモータでは、ボールベアリング使用時にはあまり問題視されなかった電磁的に発生するスラスト方向励振力がボールベアリングによる振動が取り去られることにより顕在化するようになっている。
【００１１】
この電磁的な励振力は、ステータとロータマグネット間で発生する電磁励振力以外に、ロータマグネットとスラストヨーク間で発生する励振力がある。
【００１２】
静止部材（モータブラケットやＨＤＤ装置のベース）に固定されたスラストヨークには、軸方向に対向するロータマグネットにより定常的にロータマグネットに向かう方向の力（磁気吸引力）が加わっているが、ステータのスロット開口部とロータマグネットの磁極との相対位置関係によって、周期的にロータマグネットに向かう方向の力が若干減少する。これが脈動する励振力となり、このスラストヨークに作用する定常的な脈動励振力は、これを固定する静止部材を振動させる。この結果、装置全体から放射音が発生することになる。
【００１３】
本発明は、従来の技術の有するこのような問題点に留意してなされたものであり、その目的とするところは、ロータマグネットにスラスト方向に対向するようスラストヨークを配置して必要なスラスト方向磁気吸引力を確保した上で、スラストヨークが取り付けられる静止部材の振動を抑制し、放射音を低減することのできるスピンドルモータを提供することであり、本発明の他の目的は、このようなスピンドルモータを搭載した情報記録再生装置を提供することである。
【課題を解決するための手段】
【００１４】
請求項１に記載の発明は、静止部材に支持されたステータと、静止部材に対して相対的に回転自在の回転部材と、ステータに対向するように回転部材に取付けられた環状のロータマグネットと、静止部材に対して回転部材を回転自在に支持する軸受機構とを備え、この軸受機構として、回転部材を静止部材に対してラジアル方向に支持するラジアルすべり軸受部及びスラスト方向の一方向のみを受けるスラストすべり軸受部を有し、静止部材に、回転部材に存するマグネットに対向し当該マグネットとの間で磁気吸引力を発生して回転部材をスラスト方向の他方向に付勢するスラストヨークを備えてなるスピンドルモータであって、このスラストヨークがその端部のみを静止部材に拘束して取り付けられている。
【００１５】
請求項２に記載の発明は、請求項１に記載のスピンドルモータであって、回転部材に存するマグネットをロータマグネットとし、スラストヨークを円環板状に構成しその外周側端部もしくは内周側端部を静止部材に拘束している。
【００１６】
請求項３に記載の発明は、請求項１または２に記載のスピンドルモータであって、スラストヨークが、非磁性材料製の制振部材により静止部材に拘束されている。
【００１７】
請求項４に記載の発明は、請求項３に記載のスピンドルモータであって、制振部材が、スラストヨークの端部をマグネット側からのみ拘束している。
【００１８】
請求項５に記載の発明は、装置本体のベースが請求項１〜４のいずれかに記載のスピンドルモータにおける静止部材を構成し、スピンドルモータにおける回転部材に記録用ディスクが搭載され、ベース上に記録用ディスクに対して情報の読み書きを行う手段を支持してなる。
【発明の効果】
【００１９】
請求項１ないし４の発明によれば、ロータマグネットに軸線方向に対向するスラストヨークがその端部のみを静止部材に拘束して取り付けられることから、スラストヨークはその底面が静止部材に拘束されていないことになり、ロータマグネットにより定常的に作用する電磁励振力はスラストヨークのみに作用してこれを吸引し、静止部材は電磁励振力による影響を受けることがない。加えて、回転部材と共にロータマグネットが回転することに伴って脈動する電磁励振力が発生しても、これが静止部材には伝達されず、スラストヨーク及びその端部拘束部に働く力が増減するだけであり、この部分の微小変形によって吸収され、静止部材は振動による放射音を発生しなくなり、静音化されたスピンドルモータが得られる。
【００２０】
請求項５の発明によれば、上記スピンドルモータの静止部材が情報記録再生装置の装置本体のベースとなるが、スピンドルモータのスラストヨークに作用する電磁励振力がこのベースに伝達されにくくなるため、装置全体からの放射音を低減することができる。
【発明を実施するための最良の形態】
【００２１】
以下、本発明の実施形態につき、図面を参照して説明する。
【実施例１】
【００２２】
図１は、情報記録再生装置としてのハードディスク駆動装置に用いられるスピンドルモータの全体構成を示したものであり、情報記録再生装置のベース１０がスピンドルモータの静止部材となり、ベース一体型モータを構成している。なお、本発明は、これに代えて、モータブラケットを静止部材としてスピンドルモータを構成し、このブラケットを装置のベースに取り付ける形態のものであってよいのは勿論である。また、回転部材側に搭載される記録用ディスクや、このディスクに対して上方の記録・再生を行う磁気ヘッド、この磁気ヘッドを駆動する手段等は図示を省略している。
【００２３】
（１）静止部材の構成
ベース１０におけるモータ構成部分は、その中心部に設けられた基板部１１と、この基板部１１の中央部に設けられた環状ボス部１３とを有し、環状ボス部１３と基板部１１の外周部（後述するハブ外周部にほぼ対応する位置）に設けた環状段部１４との間に環状凹部が規定され、この位置にモータ磁気回路が配置される。環状ボス部１３には、その外周部寄りに上方へ突出した円筒支持壁１５が一体に設けられ、この外周にモータステータ１７が固定されている。モータステータ１７は複数枚のラミネーションを積層して構成され外周に複数個のティースを周方向に配列してなる環状ステータコア１７ａと、ステータコア１７ａの各ティースに巻回された多相（例えば３相）の巻線１７ｂとからなり、ステータコア１７ａの内周面を円筒支持壁１５の外周面に外嵌し圧入，接着等の手段を用いて固定されている。
【００２４】
ベース１０における環状ボス部１３の内側には、流体動圧軸受の一部を構成するスリーブ体２０が内嵌固定されている。このスリーブ体２０は、略円筒状のスリーブ２１と、このスリーブ２１の下端開口を閉塞するカウンタプレート２２よりなり、スリーブ２１の内周の貫通孔部には、このスリーブ２１のほぼ全長に渡って形成された軸受用円筒内周面２１ａと、スリーブ２１の下部に位置し円筒内周面２１ａより拡径された中径部内周面２１ｂと、スリーブ２１の最下端に位置し中径部内周面２１ｂよりさらに拡径された大径部内周面２１ｃとが連続して形成されており、大径部内周面２１ｃにカウンタプレート２２の外周部が嵌合され、圧入，かしめ等の手段を用いて、或いは接着剤を併用して固定されている。スリーブ２１の下半部は基板部１１における環状ボス部１３の内周面に嵌合され、圧入，接着，溶接等の既存の固定方法にて固定されている。また、スリーブ２１の上部外周面には、後述するテーパシール部の一方の周面を形成するテーパ面２３が上方に行くに従い外径が拡大するように形成されている。
【００２５】
（２）回転部材の構成
ベース１０に対して回転自在のロータ３０は、略逆カップ状のハブ３１及び該ハブ３１の回転中心位置に固定された軸部３２を有して構成されている。このハブ３１は鉄，ステンレス等の強磁性体よりなり、天板部を構成する円盤状部３１ａの外周部に円筒状部３１ｂを垂下形成すると共に、この円筒状部３１ｂの下端に鍔状部３１ｃを径方向外方に張り出して形成し、さらに円盤状部３１ａにおける径方向中央部分より下方に突出するよう環状突状部３１ｄを形成してなる。この環状突状部３１ｄはスリーブ２１と円筒支持壁１５との間に挿入され、スリーブ２１の上部外周を囲む一方、円筒支持壁１５との間にラビリンスシールを構成するラビリンスギャップを形成するようになっている。
【００２６】
円盤状部３１ａの中央に透設された取付孔３１ｅには軸部３２の幾分小径となった上端部が圧入され、これによりハブ３１と軸部３２とが一体となっている。軸部３２は中空状をなし、その外周には軸受用円筒状外周面３２ａが形成され、その内周面には雌ねじ３２ａがほぼ全長に渡って形成されており、上述したスリーブ２１の内側に上方より挿通され、軸部３２の円筒状外周面３２ａとスリーブ２１の円筒状内周面２１ａとが僅かな隙間を介して径方向（ラジアル方向）に向かい合うようになっている。
【００２７】
スリーブ２１に挿通された軸部３２はその先端が円筒状内周面２１ａより下方に僅かに突出する長さに形成されている。軸部３２がスリーブ２１から抜け出ることを防止する抜け止め部材３３は軸部３２の雌ねじ３２ｂに螺合する雄ねじ部３３ａ及び鍔部３３ｂを有しており、鍔部３３ｂが軸部３２の外径より大きく中径部内周面２１ｂの内径より小さい外径に形成されていることから、抜け止め部材３３の雄ねじ部３３ａをスリーブ２１の下方より軸部３２の雌ねじ３２ａに螺合し鍔部３３ｂが軸部３２の端面に当接する位置まで締着することにより、鍔部３３ｂがスリーブ２１の円筒状内周面２１ａ及び中径部内周面２１ｂ間の段部下面と中径部内周面２１ｂとカウンタプレート２２とで形成する凹所に収容された状態で、段部下面に若干の隙間を開けて軸方向に対向するようになる。
【００２８】
ハブ３１の円筒状部３１ｂの内周面には、半径方向に着磁され周方向に多極が配列された環状のロータマグネット３４がステータ１７を外周から囲むように取り付けられ、磁性体製のハブ３１がこのマグネット３４のバックヨークを兼ねている。
【００２９】
ハブ３１の鍔状部３１ｃには、中央孔を円筒状壁３１ｂに嵌装させた１枚もしくは複数枚の図外の円盤状記録用ディスク（ハードディスク）が載置され（複数枚の場合はディスク間にスペーサが介在される）、このディスクの中央部上面を押圧するクランプ部材（図示せず）を軸部３２の雌ねじ３２ｂに上方より螺合されるねじを用いてねじ止めすることにより、ディスクが鍔状部３１ｃとクランプ部材との間で挟持され、ハブ３１と一体となって回転できるようになる。
【００３０】
（３）軸受機構の構成
スリーブ２１の円筒状内周面２１ａとこれに挿通された軸部３２の円筒状外周面３２ａとの間、及びハブ３１の円盤状部３１ａの内天井面（つまり下面）とスリーブ２１の上端面との間にはそれぞれ微小間隙が形成され、オイル等の潤滑流体４０が充填され保持されている。この潤滑流体４０は、スリーブ２１の中径部内周面２１ｂ，カウンタプレート２２及び抜け止め部材３３の鍔部３３ｂで囲まれた空間にも連続して充填されており、他方、潤滑流体４０の界面が、ハブ３１の環状突状壁３１ｄの内周面３１ｅとスリーブ２１の上部外周のテーパ面２３とで形成されたテーパシール部４１に位置している。このテーパシール部４１は、内周下方に向いて拡開するようなテーパ形状であり、回転動作時にテーパシール部４１の潤滑流体４０を遠心力により上記した微少間隙内に押し込むような力を付与し、潤滑流体４０の漏出を防止するような工夫がなされている。
【００３１】
スリーブ２１の円筒状内周面２１ａの上部・下部の潤滑流体保持部分にはそれぞれ、軸部３２の回転に伴い潤滑流体４０中に動圧を発生するヘリングボーン状の動圧発生溝が形成されている。この動圧発生溝は、モータ回転時に軸部３２を半径方向に保持する支持力を発生し、これにより１対のラジアル動圧軸受部４２，４３が構成されている。また、スリーブ２１の上端面にも、軸部３２を伴って回転するハブ３１の回転に伴って潤滑流体４０中に動圧を発生するポンプインスパイラル状の動圧発生溝が形成され、モータ回転時にハブ３１を軸線方向上方向に支持する（浮上する）力を発生するスラスト動圧軸受部４４が構成されている。
【００３２】
ここで、上記スリーブ２１には、下端が中径部内周面２１ｂの内部に開口し上端がスラスト微小間隙のうちスラスト動圧軸受部４４より内周部側に開口する連通孔４５が軸方向に貫通して形成され、潤滑流体４０が充填されている。この連通孔４５は二つのラジアル動圧軸受部４２，４３の両端部を連通する構成となっており、上述した動圧発生溝や軸受面の加工誤差等により所望のバランス状態が得られなくなった場合にこの圧力差に基づき連通孔４５を通じて潤滑流体４０が移動することにより圧力調整する。
【００３３】
（４）磁気バイアスの構成
ベース１０の基板部１１における外周部上面には、ハブ３１の円筒状部３１ｂ及びその内周のロータマグネット３４のそれぞれの下端面に軸方向に対向するよう円環板状のスラストヨーク５０が取り付けられている。このスラストヨーク５０は磁性板を環状にプレス抜きすることにより形成され、このプレス加工の際にスラストヨーク５０の外周部に上方への立ち上がり部５０ａを環状に設け、補強を図った構造となっている。
【００３４】
基板１１の外周部つまり環状段部１４にはその上部に、図２の（ａ）に示すように、環状凸部１４ａが突設されており、環状段部１４の内周にスラストヨーク５０を内嵌した後、図２の（ｂ）に示すように、かしめ治具６０を用いて環状凸部１４ａを塑性変形させ、図２の（ｃ）に示すように、基板１１の内底面と塑性変形部１４ｂとの間でスラストヨーク５０の外周端部（立ち上がり部５０ａ）をかしめることにより、スラストヨーク５０が基板１１に固定されている。スラストヨーク５０はその外周端部のみが基板１１に固着されることになる。
【００３５】
（５）実施例１の作用・効果
上述した構成のスピンドルモータにおいて、ステータ１７の巻線１７ｂにスイッチング電流を供給して駆動を開始すると、ステータ１７による磁界とロータマグネット３４による磁界との電磁相互作用によりこのマグネット３４を介してハブ３１に回転力が作用し、スリーブ２１と軸部３２間における一対のラジアル動圧軸受部４２，４３がそれぞれ機能してラジアル支持力が得られると共、スリーブ２１とハブ３１間におけるスラスト動圧軸受部４４が機能して、ロータマグネット３４，スラストヨーク５０間に作用するスラスト磁気吸引力と相俟ってスラスト支持力が得られ、ロータ３０が回転する。
【００３６】
このとき、スラストヨーク５０にはロータマグネット３４による磁気吸引力により定常的に上向きの力が加わっているが、基板１１上のスラストヨーク５０はその外周端部のみが拘束され、中央周部及び内周部は拘束されていないため、定常的な上向きの力によってスラストヨーク５０は上方向（ロータマグネット３４の方向）に引っ張られ、基板１１がロータマグネット３４の磁力によって吸引・変形することはない。加えて、ロータ３０の回転に伴ってこの上向きの力が増減しても、この脈動励振力は基板１１には伝達されず、スラストヨーク５０及びその外周端部（拘束部）に作用する力が増減するだけであり、しかもこの力は拘束部で振動吸収されてしまい、結果的に、基板１１には全く振動は伝達されなくなる。従って、基板１１からの放射音の発生がなくなり、静寂な回転状態が得られる。
【００３７】
＜他の実施例＞
本発明の他の実施例を図３以下の図面を用いて説明する。これらの図面は、実施例１における図２に対応するものであり、ハードディスク駆動装置のベース１０におけるスピンドルモータ対応部分である基板１１とスラストヨーク５０との取付け部分の一部を示したものである。これらの図面において、前記図１及び図２で説明したものと同一もしくは相当するものについては同一符号を付して詳細な説明は省略する。
【実施例２】
【００３８】
本発明の実施例２を図３を用いて説明する。この実施例２では、基板１１におけるロータマグネット３４対応部分に、スラストヨーク５０をその内周端部のみを拘束することにより取り付けるようにしている。すなわち、基板１１の環状段部１４にスラストヨーク５０を内嵌した上で、スラストヨーク５０の内周端部を上側から拘束する拘束部材５１を基板１１上面に接着剤などで固着している。この拘束部材５１は制振性の高い非磁性材料により構成されている。
【００３９】
従って、実施例２にあっては、スラストヨーク５０がその内周端部のみを拘束して基板１１上に取り付けられ、スラストヨーク５０の中央周部及び外周部が拘束されていないため、スラストヨーク５０にロータマグネット３４による定常的な上向きの力が加わりこれがロータ３０の回転に伴って増減しても、スラストヨーク５０のみがこの力により引っ張られるだけであり、基板１１には力が伝達されず、しかも、スラストヨーク５０を拘束する拘束部材５１自身が高い制振性を有しているため、スラストヨーク５０に伝達された振動は拘束部材５１において減衰・吸収されてしまい、基板１１に脈動励振力が伝達されることもなく、放射音の発生がなくなる。
【実施例３】
【００４０】
本発明の実施例３を図４を用いて説明する。この実施例３では、基板１１の環状段部１４にスラストヨーク５０を内嵌した上で、スラストヨーク５０の内周端部を円板状の拘束部材５２を用いて拘束するようにしたものである。円板状拘束部材５２は制振性の高い非磁性材料により構成され、その内周基部５２ａが基板１１上に接着剤や他の機械的手段により固着され、その外周部がスラストヨーク５０の内周端部上に上側から当接し、拘束部材５２のバネ性を利用してスラストヨーク５０の一部を拘束するようにしている。
【００４１】
従って、実施例３にあっては、スラストヨーク５０を部分的に拘束する拘束部材５２が、それ自身の固定部とスラストヨーク５０に対する拘束力作用部分との距離を長くして構成されているため、拘束部材５２自身の撓みを振動吸収に効果的に活かすことができ、スラストヨーク５０に伝達された脈動励振力を効果的に吸収でき、基板１１への振動伝達をなくすことができる。
【実施例４】
【００４２】
本発明の実施例４を図５を用いて説明する。この実施例４では、基板１１に端部のみを固定するようにしたスラストヨーク５３を、上記各実施例の場合より外径を大きくして外周方向に幅広に形成し、ロータマグネット３４の端部に軸方向に対向する内周側のヨーク部５３ａと基板１１に対する外周側の取付け部５３ｂとから構成するようにしたものである。すなわち、この実施例４のスラストヨーク５３では、そのヨーク部５３ａが図１〜図４の各実施例におけるスラストヨーク５０に相当し、この外周部を径方向外側に延長してこの部分を取付け部５３ｂとしたものである。加えて、基板１１においては、図１〜図４の各実施例においてスラストヨーク５０を内嵌するようにしていた環状段部１４のさらに外周側に拡大段部１４ｃを設け、拡大段部１４ｃの外周側，拡大段部１４ｃと環状段部１４との間，及び環状段部１４の内周側が順に一段ずつ低くなる階段状に設定されている。
【００４３】
そして、上記スラストヨーク５３が、その取付け部５３ｂの下面を拡大段部１４ｃと環状段部１４との間の底面に当接し、取付け部５３ｂの外周端部を上側から拘束部材５４により拘束することにより、基板１１に取り付けられている。拘束部材５４は接着剤や他の機械的手段により基板１１に固定される。スラストヨーク５３のヨーク部５３ａは環状段部１４の内側の底面より若干浮いた状態で保持されている。
【００４４】
従って、実施例４にあっては、ロータマグネット３４に対向するスラストヨーク５３のヨーク部５３ａに対してスラストヨーク５３を拘束する取付け部５３ｂの外周端部の位置が離れて設定され、ロータマグネット３４の磁気吸引力により振動する加振位置とスラストヨーク５３の固定位置との距離が長くなっているため、スラストヨーク５３のヨーク部５３ａが微小変形しやすくなり、脈動励振力によるヨーク部５３ａの振動をスラストヨーク５３自身で速やかに吸収することが可能で、基板１１への振動伝達をなくすことができる。ここで、拘束部材５４を制振性の高い非磁性材料で構成すれば、上述した効果はより顕著となる。
【００４５】
以上、本発明の実施例について説明したが、本発明はこれら実施例に限定されず、その要旨を逸脱しない範囲で種々変更可能である。
【図面の簡単な説明】
【００４６】
【図１】本発明の実施例１を示すスピンドルモータの断面図である。
【図２】図１におけるスラストヨークの取付け部分を拡大して示した一部の断面図であり、（ａ），（ｂ），（ｃ）はそれぞれスラストヨークの取付け工程の異なる状態を示したものである。
【図３】本発明の実施例２を示すスラストヨーク取付け部分の拡大断面図である。
【図４】本発明の実施例３を示すスラストヨーク取付け部分の拡大断面図である。
【図５】本発明の実施例４を示すスラストヨーク取付け部分の拡大断面図である。
【符号の説明】
【００４７】
１０  ベース
１１  基板
１４ｂ  塑性変形部
１７  ステータ
３０  ロータ
３４  ロータマグネット
５０，５３  スラストヨーク
５１，５２，５４  拘束部材
【図１】
2005155685.tif 000003
【図２】
2005155685.tif 000004
【図３】
2005155685.tif 000005
【図４】
2005155685.tif 000006
【図５】
2005155685.tif 000007